(57)【要約】【課題】遊技媒体の貯留状態を正確に検知することができるようにして、遊技媒体の取り込みを確実にする。【解決手段】遊技機本体１に、多数の遊技媒体を一括投入可能な遊技媒体トレイ６１と、遊技媒体トレイ６１に投入された遊技媒体をモータ駆動により遊技機本体内に取り込み可能な遊技媒体取込手段６０とを配置した遊技機において、遊技媒体トレイ６１は、投入された遊技媒体を底部中央に寄せるように、開口幅が下方へ向けて漸次狭くなる落し込み部６１ａを有し、落し込み部６１ａに、落し込み部６１ａに貯留される遊技媒体を検知することによりモータ６５を回転させる契機を発生させる検知手段７２を設ける。【選択図】        図２
2004329641.tif 000002
【特許請求の範囲】
【請求項１】
遊技機本体に、多数の遊技媒体を一括投入可能な遊技媒体トレイと、該遊技媒体トレイに投入された遊技媒体をモータ駆動により前記遊技機本体内に取り込み可能な遊技媒体取込手段とを配置した遊技機において、
前記遊技媒体トレイは、投入された遊技媒体を底部中央に寄せるように、開口幅が下方へ向けて漸次狭くなる落し込み部を有し、
該落し込み部に、前記落し込み部に貯留される遊技媒体を検知することにより前記モータを回転させる契機を発生させる検知手段を設けたことを特徴とする遊技機。
【請求項２】
遊技媒体トレイの落し込み部は、遊技媒体をその厚み方向が前後方向に向くように貯留可能であり、
遊技媒体取込手段は、モータと、該モータにより回転させられることにより、前記遊技媒体トレイの落し込み部に貯留される前記遊技媒体を一枚ずつ取り込み可能な取込孔を有する回転盤とを有し、該回転盤を、前記取込孔が前記落し込み部に対向し得るように、前上がり傾斜した軸線回りに回転可能に支持した請求項１記載の遊技機。
【請求項３】
遊技機本体に、遊技媒体取込手段による遊技媒体の取込作動中である旨を表示可能な表示器を設けた請求項１または２記載の遊技機。
【発明の詳細な説明】
【０００１】
【発明の属する技術分野】
本発明は、パチンコ型スロットマシン（略称パチスロ）と称される回胴式遊技機、一般のスロットマシン等の遊技機に関し、特には、遊技機本体に、多数の遊技媒体を一括投入可能な遊技媒体トレイと、遊技媒体トレイに投入された遊技媒体をモータ駆動により遊技機本体内に取り込み可能な遊技媒体取込手段とを配置した遊技機に関する。
【０００２】
【従来の技術】
例えば、回胴式遊技機において、遊技機本体の前面に配置されたコイン一括投入口に多数のコイン等の遊技媒体を一括投入すると、コイン一括投入口の下方に配置された貯留部に多数の遊技媒体が一時貯留されるとともに、貯留部の入口付近に配置された通過検出センサが遊技媒体の通過を検知することによって、貯留部に貯留された遊技媒体を一枚ずつ遊技機本体内に取り込み可能なコイン送出機構をモータ駆動させるようにしたものがある（例えば、特許文献１参照）。
【０００３】
【特許文献１】
特開２００３−１９２４８号公報
【０００４】
【発明が解決しようとする課題】
しかしながら、上記の特許文献１に記載されたような従来技術においては、遊技媒体の通過を検知する通過検知センサが貯留部の入口付近に配置されているため、この通過検知センサをもって、貯留部に貯留されている遊技媒体の貯留状態を正確に検知することは困難である。したがって、例えば、貯留部に貯留されている全ての遊技媒体を遊技機内に取り込もうとする場合、遊技媒体の取り込み残し等が発生するおそれがある。
【０００５】
本発明は、上述のような従来の課題を解決するためになされたもので、その目的は、遊技媒体の貯留状態を正確に検知することができるようにして、遊技媒体の取り込みを確実にした遊技機を提供することにある。
【０００６】
【課題を解決するための手段】
本発明によると、上記課題は、次のようにして解決される。
（１）遊技機本体に、多数の遊技媒体を一括投入可能な遊技媒体トレイと、該遊技媒体トレイに投入された遊技媒体をモータ駆動により前記遊技機本体内に取り込み可能な遊技媒体取込手段とを配置した遊技機において、前記遊技媒体トレイは、投入された遊技媒体を底部中央に寄せるように、開口幅が下方へ向けて漸次狭くなる落し込み部を有し、該落し込み部に、前記落し込み部に貯留される遊技媒体を検知することにより前記モータを回転させる契機を発生させる検知手段を設ける。
【０００７】
（２）上記（１）項において、遊技媒体トレイの落し込み部は、遊技媒体をその厚み方向が前後方向に向くように貯留可能であり、遊技媒体取込手段は、モータと、該モータにより回転させられることにより、前記遊技媒体トレイの落し込み部に貯留される前記遊技媒体を一枚ずつ取り込み可能な取込孔を有する回転盤とを有し、該回転盤を、前記取込孔が前記落し込み部に対向し得るように、前上がり傾斜した軸線回りに回転可能に支持する。
【０００８】
（３）上記（１）または（２）項において、遊技機本体に、遊技媒体取込手段による遊技媒体の取込作動中である旨を表示可能な表示器を設ける。
【０００９】
【発明の実施の形態】
以下、本発明の一実施形態を、図面に基づいて説明する。
図１は、本発明の一実施形態を適用した回胴式遊技機の正面図、図２は、回胴式遊技機の内部構成を示す縦断面図を示す。
遊技機本体（１）は、遊技を制御するための主基板（１００）、及び遊技機本体（１）に配置された演出表示装置（１０１）、音響装置（図示略）、その他の装置等を制御するための副基板（１０２）を収容した筐体（２）を有し、筐体（２）の前面中央には、外周面に複数種類の図柄が付記された３個の回胴体（３ａ）（３ｂ）（３ｃ）を内蔵し、各回胴体（３ａ）（３ｂ）（３ｃ）が回転を停止したとき、各回胴体（３ａ）（３ｂ）（３ｃ）の図柄を３コマずつ表示可能な図柄表示装置（３）が配置されている。
【００１０】
図柄表示装置（３）の左方には、図柄表示装置（３）の入賞有効ライン（ａ）〜（ｅ）を表示する５個の表示ランプ（４）が配置され、また同じく下方には、後述のメダル取込装置（６）により取り込まれた遊技媒体をなす円板状の遊技メダルを所定数（例えば、５０枚）を上限として、後のゲームまで予め記憶させておくクレジット数を表示するクレジット数表示器（２０）と、入賞有効ライン（ａ）〜（ｅ）上に並ぶ図柄が予め定められた組み合わせ、例えば、入賞有効ライン（ａ）〜（ｅ）のいずれかに同一の図柄が揃ったときに発生する入賞時の遊技メダルの払い出し数を表示する遊技メダル払出数表示器（２１）とが配置されている。なお、遊技媒体は、円板状の遊技メダルに限られるものでなく、円板に類似する形状であれば良く、また、円板状またはそれに類似する形状のコインであっても良い。
【００１１】
図柄表示装置（３）の右方に配置された演出表示装置（１０１）は、液晶画面等により構成され、回胴体（３ａ）（３ｂ）（３ｃ）の回転中（図柄の可変表示中）、入賞時、及びその他の特定の遊技時にゲームの演出効果を高めるための動画、静止画、文字情報等を表示する。
【００１２】
図柄表示装置（３）の下方にはさらに、図２に示すように前方へ突出し、各種操作スイッチが配置されるスイッチ配置部（７）が設けられている。
【００１３】
スイッチ配置部（７）の上面には、クレジット状態の遊技メダルを精算するとき、またはメダル取込装置（６）に貯留されている遊技メダルを精算するときに操作される精算スイッチボタン（８）と、クレジット状態の遊技メダルを１枚ずつゲームに投資するときに操作される１枚投入スイッチボタン（９）及び最大数の３枚の遊技メダルをゲームに投資するときに操作されるＭＡＸベッドスイッチボタン（１０）と、多数の遊技メダルを一括投入可能な遊技媒体トレイをなすメダルトレイ（６１）及びメダルトレイ（６１）に投入された遊技メダルをモータ駆動により遊技機本体（１）内に取り込み可能な後述の遊技媒体取込手段（６０）から構成されるメダル取込装置（６）と、メダル取込装置（６）における遊技媒体取込手段（６０）による遊技メダルの取込作動中及びその他の状態を表示可能な表示器（２２）とが配置されている。なお、表示器（２２）は、メダルトレイ（６１）の近傍の上方に配置されている。
【００１４】
スイッチ配置部（７）の前面には、図柄表示装置（３）における回胴体（３ａ）（３ｂ）（３ｃ）の回転を開始させるときに操作されるスタートレバー（１３）と、回胴体（３ａ）（３ｂ）（３ｃ）の回転を停止させるときに操作されるストップスイッチボタン（１４ａ）（１４ｂ）（１４ｃ）が配置されている。
【００１５】
遊技機本体（１）内におけるメダル取込装置（６）の下方には、メダル取込装置（６）が取り込んだ遊技メダルの真偽等を判別する遊技メダルセレクター（３０）が配置され、また、遊技メダルセレクター（３０）の下方には、遊技メダルセレクター（３０）から送出された遊技メダルを貯留する遊技メダル払出ホッパー（３１）が配置されている。
【００１６】
遊技メダルセレクター（３０）は、所定の条件に照らし合わして合格した遊技メダルについてのみ、有効な遊技メダルとして、メダル取込検知センサ（図示略）により検知した後、遊技メダルホッパー（３１）に送出する。また、不合格の遊技メダルについては、無効な遊技メダルとして、遊技メダル排出口（３２）に排出する。
【００１７】
メダル取込検知センサにより検知された遊技メダルについては、有効な遊技メダルとして計数され、その計数値または現在表示されている数値に計数値を加算した数値が遊技メダルのクレジット数としてクレジット数表示器（２０）に表示される。
【００１８】
筐体（２）の下部には、遊技メダルホッパー（３１）から払出される遊技メダル及び遊技メダル排出口（３２）から排出される遊技メダルの払出口（１５）と、払出口（１５）から出てくる遊技メダルを受け入れる受け皿（１６）とが設けられている。
【００１９】
メダル取込装置（６）は、遊技機本体（１）のスイッチ配置部（７）の上面に配置されるとともに、図３及び図４に示すように、一括投入される多数の遊技メダルを受け入れ可能なメダルトレイ（６１）と、メダルトレイ（６１）に投入された遊技メダルをモータ駆動により遊技機本体（１）内に取り込み可能な遊技媒体取込手段（６０）とから構成される。
【００２０】
遊技媒体取込手段（６０）は、メダルトレイ（６１）の後側に固定されるベース部材（６２）と、メダルトレイ（６１）に対向するように、ベース部材（６２）の前面側に回転可能に支持される回転盤（６３）と、ベース部材（６２）の後側に設けられる上下方向のガイド部材（６４）と、ガイド部材（６４）の後側に配置され、回転盤（６３）を回転させるためのモータ（６５）とを含んでいる。なお、モータ（６５）は、ステッピングモータであることが望ましいが、ＤＣモータであっても良い。
【００２１】
ベース部材（６２）の前面側には、回転盤（６３）の前面における上半分を隠蔽する隠蔽部材（６６）が固定される。メダル取込装置（６）は、メダルトレイ（６１）、隠蔽部材（６６）、回転盤（６３）、ベース部材（６２）、ガイド部材（６４）、モータ（６５）が順次後方に積層されるように組み立てられる。
【００２２】
（６８）は、ベース部材（６２）をメダルトレイ（６１）の後側に固定するためのねじである。（６９）は、隠蔽部材（６６）をベース部材（６２）の前部に固定するためのねじである。（７０）は、ガイド部材（６４）をベース部材（６２）の後部に固定するためのねじである。（７１）は、回転盤（６３）をモータ（６５）の回転軸（６５ａ）に固定するためのねじであって、回転盤（６３）の中心に設けた異形孔（６３ｂ）に嵌合されるモータ（６５）の回転軸（６５ａ）に螺合される。
【００２３】
メダルトレイ（６１）は、一括投入された多数の遊技メダルを受け入れ可能な正面視ほぼＵ字状の受け部（６１ａ）と、受け部（６１ａ）の後端に連設されるとともに、回転盤（６３）との間に、受け部（６１ａ）に一括投入された遊技メダルを貯留可能な落し込み部（６１ｂ）とを有し、落し込み部（６１ｂ）の底部には、落し込み部（６１ｂ）に貯留された遊技メダルを検知することにより、モータ（６５）を回転させる契機を発生させる検知手段をなすメダル検知センサ（７２）が設けられている。メダル検知センサ（７２）は、リミットスイッチ、近接スイッチ、静電容量型近接スイッチ等が好ましいが、これらに限られるものでなく、遊技メダルの有無を検出可能なセンサであればどのようなものであっても良い。
【００２４】
メダルトレイ（６１）は、主に図７及び図９に示すように、遊技機本体（１）のスイッチ配置部（７）の上面に露出する受け部（６１ａ）が後側に向けて下り傾斜になるように設置される。これにより、受け部（６１ａ）により受け入れられた遊技メダルは、自重をもって、受け部（６１ａ）の上面を滑って、落し込み部（６１ｂ）に落ち込むようになる。
【００２５】
メダルトレイ（６１）の落し込み部（６１ｂ）は、後述のように、後傾姿勢で支持される回転盤（６３）の前面に対向するように設けられるとともに、主に図９に示すように、側面視がほぼ逆三角形で、かつ主に図１４に示すように、後面視が下向き半月状をなしており、全体的に開口幅が下方へ向けて漸次狭くなるような形状をなしている。また、落し込み部（６１ｂ）における回転盤（６３）に対向する対向面（６１ｃ）は、図９に示すように、垂直方向（Ｖ）に対して僅かに後傾している。
【００２６】
落し込み部（６１ｂ）を上述の形状としたことにより、メダルトレイ（６１）に投入された遊技メダルは、厚み方向を前後方向へ向けた姿勢で貯留されるとともに、図１４に符号（１１０）で示すように、落し込み部（６１ｂ）の底部中央に寄るようになる。これにより、落し込み部（６１ｂ）に設けたメダル検知センサ（７２）による遊技メダルの検知をより正確に検知することが可能となる。
【００２７】
また、落し込み部（６１ｂ）の上端と回転盤（６３）との間の前後方向の隙間（Ａ）は、図９に示すように、遊技メダル（１１０）の直径より狭くなるように設定されている。
【００２８】
ベース部材（６２）は、主に図７及び図９に示すように、メダルトレイ（６１）の後側に後傾姿勢で固定されるとともに、その前面には、回転盤（６３）を厚み方向に収容する深さを有する凹部（６２ａ）が設けられている。
【００２９】
回転盤（６３）は、主に図９に示すように、ベース部材（６２）の凹部（６２ａ）に前面側から収容されるとともに、メダルトレイ（６１）の落し込み部（６１ｂ）に対してほぼ３０度後傾した姿勢で、前上がりにほぼ３０度傾いた軸線方向（Ｘ）回りに回転可能に支持されている。これにより、回転盤（６３）の前面は、落し込み部（６１ｂ）の対向面（６１ｃ）に対して鋭角（ほぼ３０度）の関係になるように対向し、対向面（６１ｃ）と回転盤（６３）の前面との間に、多数の遊技メダルが前後方向に重なり合って落ち込むのを阻止することができ、回転盤（６３）の取込孔（６３ａ）による遊技メダルの取り込みを確実に行うことができる。なお、軸線方向（Ｘ）は、モータ（６５）の回転軸（６５ａ）の軸線方向と一致する。
【００３０】
なお、ベース部材（６２）の凹部（６２ａ）の深さは、回転盤（６３）がベース部材（６２）より前方へ突出しないように、回転盤（６３）の厚みより僅かに深くなっている。
【００３１】
回転盤（６３）には、メダルトレイ（６１）の落し込み部（６１ｂ）に貯留されている遊技メダルを厚み方向に前面側から後面側に通過させる円形の取込孔（６３ａ）が複数個（本実施形態においては４個）設けられている。
【００３２】
取込孔（６３ａ）は、回転盤（６３）の回転により、後述の取込位置（Ｂ）においてメダルトレイ（６１）に投入された遊技メダルをその厚み方向を前後方向へ向けた状態で取り込んで、後述の送出位置（Ｃ）において回転盤（６３）の後方へ送出するように作用する。また、取込孔（６３ａ）を複数としたことにより、遊技メダルの取込及び送出を迅速に行うことが可能となっている。
【００３３】
回転盤（６３）における各取込孔（６３ａ）が設けられた部分の前後方向の厚みは、遊技メダル１枚分の厚みより僅かに大きく、かつ遊技メダル２枚分の厚みより小さくなるように設定されている。これにより、取込孔（６３ａ）に遊技メダルを確実に取り込むことができるとともに、遊技メダルを確実に送出位置（Ｂ）に搬送することができる。
【００３４】
回転盤（６３）は、回転盤（６３）の後側に設けられたベース部材（６２）との協同作用をもって、モータ（６５）により、図５及び図６において反時計方向へ回転させられると、複数の取込孔（６３ａ）のうち、落し込み部（６１ｂ）に対向する取込位置（最下位位置）（Ｂ）にある取込孔（６３ａ）によって、落し込み部（６１ｂ）に貯留されている遊技メダルを前面側から取り込み可能で、かつ遊技メダルを取り込んだ取込孔（６３ａ）が送出位置（最上位位置を僅かに過ぎた位置）（Ｃ）に変位すると、後述のように、遊技メダルを取込孔（６３ａ）から後方へ送出させるようになっている。
【００３５】
ベース部材（６２）は、回転盤（６３）の回転に伴って、取込孔（６３ａ）が取込位置（Ｂ）から送出位置（Ｃ）に向けて変位するまでの範囲において、取込孔（６３ａ）に取り込まれた遊技メダルが取込孔（６３ａ）から回転盤（６３）の後面側に抜け出すことがないように、取込孔（６３ａ）の後方を閉塞する閉塞部（６２ｃ）と、遊技メダルを取り込んだ取込孔（６３ａ）が送出位置（Ｃ）に変位したとき、遊技メダルがその厚み方向を前後方向に向けた状態で、取込孔（６３ａ）から回転盤（６３）の後面側に送出されるように、取込孔（６３ａ）の後方を開放する送出口（６２ｂ）とを有している。
【００３６】
ガイド部材（６４）は、ベース部材（６２）の後面側に固定されるとともに、その前面側には、回転盤（６３）の取込孔（６３ａ）から送出されてベース部材（６２）の送出口（６２ｂ）を通過した遊技メダルを、遊技メダルセレクター（３０）に向けて誘導するための下向き排出溝（６４ａ）が設けられている。
【００３７】
ガイド部材（６４）の上部は、排出溝（６４ａ）がベース部材（６２）の送出口（６２ｂ）に対向する位置に配置され、また下端部は、遊技メダルセレクター（３０）の上端、すなわち入口に接続される。これにより、ガイド部材（６４）の排出溝（６４ａ）を通過した遊技メダルは確実に遊技メダルセレクター（３０）に送出される。
【００３８】
排出溝（６４ａ）の上部右側縁、すなわち取込孔（６３ａ）の取込位置に対応する部分には、遊技メダルが取込孔（６３ａ）から抜け出て、排出溝（６４ａ）に入り込むときの当接音を緩和するために、遊技メダルの移動方向に沿って、後ろ向き傾斜面（６４ｂ）が設けられている。すなわち、図１２に示すように、遊技メダル（１１０）が取込孔（６３ａ）から排出溝（６４ａ）に移動する場合には、遊技メダルの移動方向に沿って、先に遊技メダルの前端側（左側）が排出溝（６４ａ）に入り込み、次いで、遊技メダルの後端側（右側）が傾斜面（６４ｂ）に案内されて、徐々に排出溝（６４ａ）に入り込むことにより、遊技メダル（１１０）を円滑かつ静かに排出溝（６４ａ）に移動させることが可能となる。
【００３９】
隠蔽部材（６６）は、正面視ほぼ上向き半円状をなして、回転盤（６３）のほぼ上半分の前面を覆うようにベース部材（６２）に固定されることにより、取込位置（Ｂ）またはその近傍にある取込孔（６３ａ）以外の取込孔（６３ａ）の一部または全体を隠蔽することができる。これにより、隠蔽部材（６６）により前方が隠蔽された取込孔（６３ａ）に対する異物の入り込みを阻止して、回転盤（６３）を常時円滑に回転させることができる。
【００４０】
なお、本実施形態における隠蔽部材（６６）の右下縁部は、コイン通過制限手段（６７）を形成している。このコイン通過制御手段（６７）は、回転盤（６３）の前側にあって、かつ取込孔（６３ａ）が取込位置（Ｂ）から送出位置（Ｃ）へ移動する経路の途中に設けられ、取込孔（６３ａ）に２枚以上の遊技メダルが重なって取り込まれた場合、最初に取り込まれた遊技メダルのみを残して、他の遊技メダルを取込孔（６３ａ）から退かすためのものである。
【００４１】
コイン通過制限手段（６７）と回転盤（６３）の前面との間の隙間は、図１１に示すように、取込孔（６３ａ）に２枚の遊技メダル（１１０）が重なって取り込まれた場合、後から取り込まれた方の前側の遊技メダル（１１０）が取込孔（６３ａ）から前方へ突出する量より狭くなるように設定されている。
【００４２】
隠蔽部材（６６）の後面の左半分、すなわち取込位置（Ｃ）にある取込孔（６３ａ）に対向する部分（ベース部材（６２）の送出口（６２ｂ）と対向する部分）には、遊技メダルの逃がし部（６６ａ）が設けられている。この逃がし部（６６ａ）は、扇形状に前方へ凹んでおり、遊技メダルが取込孔（６３ａ）から排出溝（６４ａ）に移動するとき、遊技メダルの移動方向の後端側が隠蔽部材（６６）と干渉しないようにして、遊技メダルを排出溝（６４ａ）へ円滑に送出させるようにするものである。
【００４３】
表示器（２２）は、ＬＥＤ等の発光体から構成されるとともに、副基板（１０２）またはその他の基板により点灯駆動され、メダル取込装置（６）における遊技媒体取込手段（６０）による遊技メダルの取込作動中、すなわちモータ（６５）が回転駆動しているときは点灯または点灯箇所が表示器（２２）の一方から他方へ流れるような態様で取込作動表示し、また、非取込作動中でかつメダル検知センサ（７２）によりメダルトレイ（６１）に遊技メダルが貯留されていると検知された場合には青色点灯でメダル有表示し、さらには非取込作動中でかつメダル検知センサ（７２）によりメダルトレイ（６１）に遊技メダルが無いと検知された場合には遊技媒体取込手段（６０）による遊技メダルの取込作動中と異なる表示態様、例えば赤色点灯または点滅でメダル空表示して、その旨を遊技者に対して報知可能となっている。すなわち、表示器（２２）は、メダル検知センサ（７２）の検知結果に応じて、遊技媒体取込手段（６０）による遊技メダルの取込作動中と異なる表示態様でメダルトレイ（６１）に遊技メダルが無くなったことを表示可能となっている。
【００４４】
遊技メダルを使用してのゲームは、遊技者が複数の遊技メダルをメダル取込装置（６）のメダルトレイ（６１）に一括投入することから始まる。
【００４５】
メダル検知センサ（７２）は、メダルトレイ（６１）の落し込み部（６１ｂ）に落ち込んで貯留された遊技メダルを検知することにより、メダルトレイ（６１）に投入された遊技メダルを遊技機本体（１）内に取り込ませるため、遊技媒体取込手段（６０）のモータ（６５）を回転させる契機を発生させる。これにより、モータ（６５）は、モータ駆動制御回路（図示略）により回転駆動制御され、回転盤（６３）を図５において反時計方向へ回転させる。
【００４６】
回転盤（６３）の回転に伴って、落し込み部（６１ｂ）に貯留されている遊技メダルは、厚み方向を前後方向に向けた状態で、取込位置（Ｂ）にある取込孔（６３ａ）により取り込まれるとともに、メダルトレイ（６１）に一括投入された遊技メダルは、１枚ずつ順次落し込み部（６１ｂ）の底部中央に寄せられる。これにより、落し込み部（６１ｂ）の底部中央に配置されたメダル検知センサ（７２）により、メダルトレイ（６１）に投入された遊技メダルの有無を正確に検知することができるようになり、遊技メダルの取り込み残しの発生を確実に防止することができる。
【００４７】
回転盤（６３）の取込孔（６３ａ）により取り込まれた遊技メダルは、回転盤（６３）の回転に伴って、取込孔（６３ａ）に取り込まれた状態で送出位置（Ｃ）に向けて搬送される。
【００４８】
図６に示すように、回転盤（６３）の回転に伴って、取込孔（６３ａ）が、送出位置（Ｃ）に達してベース部材（６２）の送出口（６２ｂ）と重合すると、回転盤（６３）が後傾しているため、遊技メダルは、自重をもって、取込孔（６３ａ）から後方へ抜け出す。
【００４９】
送出位置（Ｃ）にある取込孔（６３ａ）から抜け出た遊技メダルは、ガイド部材（６２）の送出口（６２ｂ）を通過して、ガイド部材（６４）の排出溝（６４ａ）に送り込まれ、この排出溝（６４ａ）に案内されて、遊技メダルセレクター（３０）に確実に送出される。
【００５０】
遊技媒体取込手段（６０）による遊技メダルの取込作動中は、表示器（２２）が上述のように取込作動表示して、遊技メダルの取り込み中であることが報知される。これにより、遊技者は、表示器（２２）の表示態様を確認して、遊技メダルが取り込まれていることを容易に知ることができる。
【００５１】
また、遊技媒体取込手段（６０）による遊技メダルの取込作動は、取り込んだ遊技メダルのうち有効な遊技メダルの枚数が、クレジット数の上限（５０枚）に達するか、またはメダルトレイ（６１）に遊技メダルが空になるまで、すなわちメダル検知センサ（７２）が遊技メダルを検知しなくなるまで継続される。
【００５２】
遊技メダルの取り込み数がクレジット数の上限に達する前に、メダルトレイ（６１）に遊技メダルが無くなって、遊技媒体取込手段（６０）による遊技メダルの取込作動が停止した場合には、メダルトレイ（６１）も遊技メダルが無くなったことを、表示器（２２）にメダル空表示させ、その旨を遊技者に対して報知する。
【００５３】
なお、上述の取込作動表示、メダル有表示、メダル空表示は、表示器（２２）に代えてまたは表示器（２２）と併用して、その旨を演出表示装置（１０１）に文字または図形等により表示させても良い。
【００５４】
メダル取込装置（６）のガイド部材（６４）の排出溝（６４ａ）の下端から送出された遊技メダルは、遊技機本体（１）の内部にあって、メダル取込装置（６）の下方に配置された遊技メダルセレクター（３０）に受け入れられた後、同じく遊技機本体（１）の内部にあって、遊技メダルセレクター（３０）の下方に配置された遊技メダル払出ホッパー（３１）に送出されて貯留される。
【００５５】
遊技メダルセレクター（３０）により有効な遊技メダルとして判別された遊技メダルは、遊技メダル取込検知センサにより検知された計数値または現在の数値に計数値を加算した数値が遊技メダルのクレジット数としてクレジット数表示器（２０）に表示される。
【００５６】
上述のように、遊技メダルを後のゲームまで予め記憶させておくクレジット状態にして、１枚投入スイッチボタン（９）またはＭＡＸベッドスイッチボタン（１０）を操作した後、スタートレバー（１３）を操作することによって、３個の回胴体（３ａ）（３ｂ）（３ｃ）がステッピングモータの駆動によって一斉に回転して、ゲームが開始される。
【００５７】
なお、１枚投入スイッチボタン（９）を操作した場合は、クレジット数表示器（２０）に表示されているクレジット数から１減算され、また、ＭＡＸベッドスイッチボタン（１０）を操作した場合は、同じくクレジット数から３減算された数値が、クレジット数の残数として、クレジット数表示器（２０）に表示される。
【００５８】
そして、所定時間が経過した後、各回胴体（３ａ）（３ｂ）（３ｃ）に対応する各ストップスイッチボタン（１４ａ）（１４ｂ）（１４ｃ）を順次操作して、各回胴体（３ａ）（３ｂ）（３ｃ）の回転を個別に停止させることによって、入賞有効ライン（ａ）〜（ｅ）上に並ぶ各図柄の組み合わせにより、入賞の有無、及び賞の大小に応じた遊技メダルの配当枚数が決定される。入賞した場合には、予め定めた入賞枚数分だけ遊技メダルが払い出され、クレジット表示器（２０）に加算されるか、または遊技メダルホッパー（３１）により払出口（１５）から受け皿（１６）に払い出される。
【００５９】
また、入賞有効ライン（ａ）〜（ｅ）上に並ぶ各図柄の組み合わせが入賞でない場合には、「はずれ」となり、遊技メダルの払い出しが行われない。
【００６０】
なお、この遊技機においては、スタートレバー（１３）が操作された時点で、主基板（１００）上で動作するプログラムが乱数発生等を利用して内部抽選を行い、この内部抽選の結果に基づいて、入賞の有無、及び賞の大小が決定されるようになっている。
【００６１】
上述のゲームの進行に伴って、クレジット数が所定数（例えば、９）まで減少すると、メダルトレイ（６１）に遊技メダルが有ることがメダル検知センサ（７２）に検知された場合には、再び、モータ（６５）を回転駆動させて、メダルトレイ（６１）内の遊技メダルを取り込む作動を開始する。また、このとき、メダルトレイ（６１）内に遊技メダルが無い場合には、前述のように、表示器（２２）にメダル空表示されているので、遊技者はタイミング良く遊技メダルを投入することができ、遊技を円滑に進めることができる。
【００６２】
以上、本発明の一実施形態について説明したが、本発明の要旨を逸脱しない範囲内で、本実施形態に対して、下記のような種々の変形や変更を施すことが可能である。
（ｉ）メダル検知センサ（７２）を、メダルトレイ（６１）の底部中央以外の箇所に配置すること。例えば、メダルトレイ（６１）における落し込み部（６１ｂ）の対向面（６１ｃ）に設けても良い。要するに、落し込み部（６１ｂ）であればいずれの場所であっても良い。
【００６３】
【発明の効果】
本発明によれば、次のような効果を奏することができる。
（ａ）請求項１記載の発明によると、遊技媒体トレイの落し込み部に、落し込み部に貯留された遊技媒体を検知することにより、取込手段のモータを回転させる契機を発生させる検知手段と設けたことにより、遊技媒体が遊技媒体トレイに有るか否かを正確に検知することができ、遊技メダルの取り込み残しを確実に防止することができる。
【００６４】
（ｂ）請求項２記載の発明によると、請求項１に係わる発明の効果に加えて、遊技媒体取込手段の小型化を図ることができる。また、落し込み部に、遊技媒体を厚み方向が前後方向に向くように貯留可能であるため、遊技媒体が常に一定の方向を向くように貯留することが可能となり、検知手段による遊技媒体の検知をより正確に検知することが可能となる。
【００６５】
（ｃ）請求項３記載の発明によると、請求項１または２に係わる発明の効果に加えて、遊技媒体取込手段が遊技媒体の取込作動中であることを報知することができ、ゲームを円滑に進めることができる。
【図面の簡単な説明】
【図１】本発明の一実施形態を適用した回胴式遊技機の正面図である。
【図２】同じく、回胴式遊技機の内部構成を示す縦断面図である。
【図３】同じく、メダル取込装置の斜視図である。
【図４】同じく、メダル取込装置の分解斜視図である。
【図５】同じく、メダル取込装置の正面図ある。
【図６】同じく、回転盤が図５と異なる位置に回動した状態におけるメダル取込装置の正面図である。
【図７】同じく、メダル取込装置の側面図である。
【図８】同じく、メダル取込装置の平面図である。
【図９】図５におけるＩＸ−ＩＸ線に沿う縦断面図である。
【図１０】図６におけるＸ−Ｘ線に沿う拡大縦断面図である。
【図１１】図６におけるＸＩ−ＸＩ線に沿う要部の拡大縦断面図である。
【図１２】図５におけるＸＩＩ−ＸＩＩ線に沿う拡大横断面図である。
【図１３】図６におけるＸＩＩＩ−ＸＩＩＩ線に拡大横断面図である。
【図１４】メダル取込装置におけるコイン一括トレイの背面図である。
【符号の説明】
（１）遊技機本体
（２）筐体
（３）図柄表示装置
（３ａ）（３ｂ）（３ｃ）回胴体
（４）表示ランプ
（６）メダル取込装置
（７）スイッチ配置部
（８）精算スイッチボタン
（９）１枚投入スイッチボタン
（１０）ＭＡＸベッドスイッチボタン
（１３）スタートレバー
（１４ａ）（１４ｂ）（１４ｃ）ストップスイッチボタン
（１５）払出口
（１６）受け皿
（２０）クレジット数表示器
（２１）遊技メダル払出数表示器
（２２）表示器
（３０）遊技メダルセレクター
（３１）遊技メダルホッパー
（３２）遊技メダル排出口
（６０）遊技媒体取込手段
（６１）メダルトレイ（遊技媒体トレイ）
（６１ａ）受け部
（６１ｂ）落し込み部
（６１ｃ）対向面
（６２）ベース部材
（６２ａ）凹部
（６２ｃ）閉塞部
（６２ｂ）送出口
（６３）回転盤
（６３ａ）取込孔
（６３ｂ）異形孔
（６４）ガイド部材
（６４ａ）排出溝
（６４ｂ）傾斜面
（６５）モータ
（６５ａ）回転軸
（６６）隠蔽部材
（６６ａ）逃がし部
（６７）コイン通過制限手段
（６８）（６９）（７０）（７１）ねじ
（７２）メダル検知センサ（検知手段）
（１００）主基板
（１０１）演出表示装置
（１０２）副基板
（１１０）遊技メダル（遊技媒体）
（ａ）〜（ｅ）入賞有効ライン
（Ａ）落し込み部と回転盤との間の前後方向の隙間
（Ｂ）取込孔の取込位置
（Ｃ）取込孔の送出位置
（Ｘ）回転盤の軸線方向
【図１】
2004329641.tif 000003
【図２】
2004329641.tif 000004
【図３】
2004329641.tif 000005
【図４】
2004329641.tif 000006
【図５】
2004329641.tif 000007
【図６】
2004329641.tif 000008
【図７】
2004329641.tif 000009
【図８】
2004329641.tif 000010
【図９】
2004329641.tif 000011
【図１０】
2004329641.tif 000012
【図１１】
2004329641.tif 000013
【図１２】
2004329641.tif 000014
【図１３】
2004329641.tif 000015
【図１４】
2004329641.tif 000016